(57)【要約】【課題】逆止弁機能部のシートが確実に密着して逆止弁機能を得ることができ、布団等を効率よく圧縮することができる布団等の圧縮保存袋を提供する。【解決手段】口部１３が途中に設けた溶着部１５で吸引管の抜き差し部２３と布団等の出し入れ口１３ａになる布団等の圧縮保存袋において、袋体１２を形成する気密性シート１１の抜き差し部２３の位置で逆止弁機能部２４を生じさせるようにした部位の外面に、この気密性シート１１の平滑状態を保持するための保形シート２５が貼着してある。【選択図】図１
0003117522.tif 000002
【実用新案登録請求の範囲】
【請求項１】
二枚の気密性シートを重ね合わせ、その三辺を溶着して非溶着部を口部とした袋体を形成し、前記口部の全長にわたって密閉チャックを開閉できるように溶着し、前記袋体の口部の長さ方向の途中で、口部の一方端部から吸引管を抜き差しできる距離をおいた位置に、重ね合わせた気密性シートを溶着させた溶着部を設けることによって、口部の一方端部から溶着部の間を吸引管の抜き差し部に形成し、両気密性シートの前記抜き差し部を形成する部位の位置を、袋体内に抜き差し部から挿入した吸引管を引き抜くときに互いに吸着する逆止弁機能部とした布団等の圧縮保存袋において、
前記袋体を形成する気密性シートの少なくとも一方の気密性シートの逆止弁機能部に該当する部位の外面に、気密性シートの平滑状態を保持するための保形シートを貼着したことを特徴とする布団等の圧縮保存袋。
【請求項２】
二枚の気密性シートを重ね合わせ、その三辺を溶着して非溶着部を口部とした袋体を形成し、前記口部の全長にわたって密閉チャックを開閉できるように溶着し、前記袋体の口部の長さ方向の途中で、口部の一方端部から吸引管を抜き差しできる距離をおいた位置に、重ね合わせた気密性シートを溶着させた溶着部を設けることによって、口部の一方端部から溶着部の間を吸引管の抜き差し部に形成し、両気密性シートの前記抜き差し部を形成する部位の位置を、袋体内に抜き差し部から挿入した吸引管を引き抜くときに互いに吸着する逆止弁機能部とした布団等の圧縮保存袋において、
前記口部に設けた溶着部が、密閉チャックを開かないようにした溶着部分と、この溶着部分から連なって袋体の内側に向けて延びるように施された延長部で形成され、前記袋体を形成する気密性シートの少なくとも一方の気密性シートの逆止弁機能部に該当する部位の外面に、気密性シートの平滑状態を保持するための保形シートを貼着したことを特徴とする布団等の圧縮保存袋。
【請求項３】
上記溶着部は、密閉チャックの咬合させた突条と凹溝を残すようにして施したチャック溶着部と、このチャック溶着部から連なって袋体の内側に向けて延びる延長部とで形成されていることを特徴とする請求項１又は２に記載の布団等の圧縮保存袋。
【請求項４】
上記溶着部のチャック溶着部は、袋体を形成する二枚の気密性シートと、上記密閉チャックの雄部材における帯状シートと、密閉チャックの雌部材における帯状シートの合計四枚のシートを同時に溶着し、このチャック溶着部から連なる上記延長部は、袋体を形成する二枚の気密性シートを直接溶着していることを特徴とする請求項１乃至３の何れかに記載の布団等の圧縮保存袋。
【請求項５】
上記保形シートは、吸引管の抜き差し部の一方端部から溶着部の間を覆う長さと、チャック溶着部から延長部の先端よりも袋体の内側寄りの位置を覆う幅を有していることを特徴とする請求項１乃至４の何れかに記載の布団等の圧縮保存袋。
【考案の詳細な説明】
【技術分野】
【０００１】
この考案は、布団や毛布等の寝具類や座布団のような嵩張るものを袋体内に収納し、袋体内の空気を抜くことでこれらを圧縮し、この圧縮した状態で収納保存するために用いる布団等の圧縮保存袋に関する。
【背景技術】
【０００２】
この種の圧縮保存袋は、二枚の気密性シートを重ね、その三辺を溶着することによって四角形の袋体を、その内部に布団等を収納できる大きさに形成し、この袋体の一辺に設けた出し入れ口を密閉チャックで開閉できるようにした構造になっている。
【０００３】
この圧縮保存袋は、密閉チャックを開いた出し入れ口から内部に布団等を挿入した後、袋体の内部の空気を掃除機によって吸引し、密閉チャックを閉じることによって布団等の圧縮状態を保持し、嵩を小さくすることで、押入れ等に沢山の布団等を収納することができるようにするものである。
【０００４】
上記のような圧縮保存袋は、掃除機で袋体内を吸引するとき、密閉チャックの突条と凹溝を出し入れ口の一方端部から掃除機の吸引管が挿入できる間隔だけ残して咬合させ、密閉チャックの開いている部分から袋部の内部に掃除機の吸引管を差し込むことにより袋体内を吸引し、吸引完了後に吸引管を抜き取り、密閉チャックの離解している部分を速やかに係合させて閉じるようにする。
【０００５】
しかしこのような圧縮保存袋は、作業に手間がかかると同時に掃除機の吸引管を抜くときにどうしても外気が逆流し、圧縮効率が低下することになる。
【０００６】
上記のような吸引作業時の簡便化と圧縮効率の向上を図るため、図３のように、二枚の気密性シート１，１を重ね合わせ、その三辺を溶着して非溶着部を口部２とした袋体３を形成し、前記口部２の全長にわたって密閉チャック４を開閉できるように溶着し、前記袋体３の口部２の長さ方向の途中で、口部２の一方端部から吸引管を抜き差しできる距離をおいた位置に、重ね合わせた気密性シート１を溶着させた溶着部５を部分的に設けることによって、口部２の一方端部から溶着部５の間を吸引管の抜き差し部６とし、両気密性シート１、１の前記抜き差し部６を形成する部位の内側寄りに、袋体３内に抜き差し部６から挿入した吸引管を引き抜くときに互いに吸着する逆止弁機能部７を生じさせるようにした布団等の圧縮保存袋ａが提案されている（例えば、特許文献１参照）。
【０００７】
この圧縮保存袋ａは、口部２の出し入れ口２ａから袋体３内に布団等を挿入し、密閉チャック４を溶着部５位置まで閉じて出し入れ口２ａを密閉し、次に、抜き差し部６に掃除機の吸引管を差し込み、袋体３内の空気を掃除機によって吸引し、その後、吸引管を抜き取った抜き差し部６の密閉チャック４を閉じることによって布団等の圧縮状態を保持するものである。
【０００８】
このような圧縮保存袋ａは、両気密性シート１、１の前記抜き差し部６を形成する部位の内側寄りに、袋体３内に出し入れ口２ａから挿入した吸引管を引き抜くときに互いに吸着する逆止弁機能部７を設けてあるので、吸引管の抜き取後の密閉作業が簡単かつ速やかに行えるという利点がある。
【特許文献１】特開２００３−２６１１５２号公報
【考案の開示】
【考案が解決しようとする課題】
【０００９】
ところで、前記した圧縮保存袋ａは、吸引管の抜き差し部６の一方の端を規定する溶着部５は、袋体３の内方へ向けての長さが密閉チャック４を溶着するだけの短いものになっているので、抜き差し部６から吸引管を引き抜くとき、開口状態にある抜き差し部６内と袋体３の内部が溶着部側において短絡的に連通しやすく、このため、袋体３内に外気が吸い込まれることで、両気密性シート１、１の前記抜き差し部６を形成する部位の内側寄りに位置させた逆止弁機能部７の作用が低下することがあり、これによって布団等の圧縮状態が悪くなるという点で改良の余地が見出された。
【００１０】
また、両気密性シート１、１には、比較的厚手のシートが使用されているが、抜き差し部６から吸引管を挿入して吸引作業を行うと、抜き差し部６を形成する部位の内側寄りに位置させた逆止弁機能部７の部分のシートにどうしても皺が発生し、吸引管を抜き取る時この逆止弁機能部７のシートは皺のあるままで密着するため、皺が通路となって袋体３内に外気が吸い込まれることになり、この場合も、布団等の圧縮状態を悪くすることになる。
【００１１】
そこで、この考案の課題は、抜き差し部から吸引管を引き抜くときに、外気の吸い込み発生がなく、しかも、逆止弁機能部のシートが確実に密着して逆止弁機能を得ることができ、布団等を効率よく圧縮することができる布団等の圧縮保存袋を提供することにある。
【課題を解決するための手段】
【００１２】
上記のような課題を解決するため、請求項１の考案は、二枚の気密性シートを重ね合わせ、その三辺を溶着して非溶着部を口部とした袋体を形成し、前記口部の全長にわたって密閉チャックを開閉できるように溶着し、前記袋体の口部の長さ方向の途中で、口部の一方端部から吸引管を抜き差しできる距離をおいた位置に、重ね合わせた気密性シートを溶着させた溶着部を設けることによって、口部の一方端部から溶着部の間を吸引管の抜き差し部に形成し、両気密性シートの前記抜き差し部を形成する部位の位置を、袋体内に抜き差し部から挿入した吸引管を引き抜くときに互いに吸着する逆止弁機能部とした布団等の圧縮保存袋において、前記袋体を形成する気密性シートの少なくとも一方の気密性シートの逆止弁機能部に該当する部位の外面に、気密性シートの平滑状態を保持するための保形シートを貼着した構成を採用したものである。
【００１３】
請求項２の考案は、二枚の気密性シートを重ね合わせ、その三辺を溶着して非溶着部を口部とした袋体を形成し、前記口部の全長にわたって密閉チャックを開閉できるように溶着し、前記袋体の口部の長さ方向の途中で、口部の一方端部から吸引管を抜き差しできる距離をおいた位置に、重ね合わせた気密性シートを溶着させた溶着部を設けることによって、口部の一方端部から溶着部の間を吸引管の抜き差し部に形成し、両気密性シートの前記抜き差し部を形成する部位の位置を、袋体内に抜き差し部から挿入した吸引管を引き抜くときに互いに吸着する逆止弁機能部とした布団等の圧縮保存袋において、前記口部に設けた溶着部が、密閉チャックを開かないようにした溶着部分と、この溶着部分から連なって袋体の内側に向けて延びるように施された延長部で形成され、前記袋体を形成する気密性シートの少なくとも一方の気密性シートの逆止弁機能部に該当する部位の外面に、気密性シートの平滑状態を保持するための保形シートを貼着した構成を採用したものである。
【００１４】
上記溶着部は、密閉チャックの咬合させた突条と凹溝を残すようにして施したチャック溶着部と、このチャック溶着部から連なって袋体の内側に向けて延びる延長部とで形成されているようにすることができる。
【００１５】
また、上記溶着部のチャック溶着部は、袋体を形成する二枚の気密性シートと、上記密閉チャックの雄部材における帯状シートと、密閉チャックの雌部材における帯状シートの合計四枚のシートを同時に溶着し、このチャック溶着部から連なる上記延長部は、袋体を形成する二枚の気密性シートを直接溶着している構造とすることができる。
【００１６】
更に、上記保形シートは、袋体の抜き差し部の一方端部から溶着部の間を覆う長さと、チャック溶着部から延長部の先端よりも袋体の内側寄りの位置を覆う幅を有しているようにすることができる。
【００１７】
ここで、密閉チャックの途中に位置する溶着部に、袋体の内側に向かって延びる延長部を設けると、抜き差し部と逆止弁機能部の一部が実質的に長さのある筒状になり、挿入した吸引管を引き抜くときに、抜き差し部を介して外気と袋体内が短絡的に連通するのを防ぐことができ、吸引管の引き抜き工程時に袋体内へ外気が進入するのを効果的に防ぐことができる。
【考案の効果】
【００１８】
この考案によると、袋体を形成する気密性シートの逆止弁機能部を生じさせるようにした部位の外面に、この気密性シートの平滑状態を保持するための保形シートを貼着したので、抜き差し部から吸引管を挿入して吸引作業を行うと、逆止弁機能部における気密性シートは平滑な展張状態が保持され、気密性シートの逆止弁機能部に該当する部分に皺が発生しないようにすることができ、吸引管の抜き取りによる袋体内の負圧によって逆止弁機能部の両気密性シートが密着しようとするとき、気密性シートの逆止弁機能部に該当する部分は平滑面に沿うよう皺が伸びた状態となって両気密性シートが密着し、これによって逆止弁機能部の逆止弁機能が確実に働き、外気の吸い込みがないので布団等を効率よく圧縮することができる。
【００１９】
また、密閉チャックの途中に設けた溶着部に、袋体の内側に向かって延びる延長部を設けたので、抜き差し部と逆止弁機能部の一部が実質的に長さのある筒状になり、挿入した吸引筒を引き抜くときに、抜き差し部を介して外気と袋体内が短絡的に連通するのを防ぐことができ、吸引管の引き抜き工程時に袋体内へ外気が進入するのを効果的に防ぐことができる。
【考案を実施するための最良の形態】
【００２０】
次に、この考案の実施の形態を図示例と共に説明する。
【００２１】
図１のように、この考案の布団等の圧縮保存袋Ａは、気密性シート１１、１１によって形成された袋体１２の口部１３の全長を密閉チャック１４で開閉できるようにし、上記袋体１２の口部１３の長さ方向の途中に、口部１３の途中を部分的に閉じる溶着部１５が設けられている。
【００２２】
上記袋体１２は、ナイロン、ポリエチレン等の気密性と熱溶着可能な、矩形状となる溶着可能な二枚の気密性シート１１、１１を重ね合わせ、左右の側辺と下辺の三辺を溶着線１６で溶着して形成され、その上辺が口部１３となり、この口部１３の全長が密閉チャック１４で開閉できるようになっている。
【００２３】
上記密閉チャック１４は、袋体１２と同様の合成樹脂シートを用いた帯状シート１７の一面側に二本の突条１８を長さ方向の全長にわたって設けた雄部材１９と、同じく帯状シート１７の一面側に上記突条１８が弾力的で気密状に咬合する二本の凹溝２０を長さ方向の全長にわたって設けた雌部材２１の組み合わせからなり、袋体１２の口部１３の対向する内面側に雄部材１９及び雌部材２１の帯状シート１７をそれぞれ重ね、気密性シート１１と帯状シート１７の重なり面を長さ方向に沿って溶着することによって口部１３の内部に取り付けられている。
【００２４】
上記袋体１２の口部１３の両端部における溶着は、密閉チャック１４の突条１８と凹溝２０を咬合させた状態で、袋体１２を形成する二枚の機密性シート１１、１１と両帯状シート１７、１７の合計四枚のシート及び咬合した突条１８と凹溝２０を押し潰すようにして、同時に溶着した溶着部分２２とし、この溶着部分２２は上記溶着線１６と連続するように設けられている。
【００２５】
また、袋体１２の口部１３の途中に設けた溶着部１５は、図２のように、前記袋体１２の口部１３の長さ方向の途中で、口部１３の一方端部から吸引管を抜き差しできる距離をおいた位置に部分的に設けられ、口部１３は一方端部から溶着部１５の間が吸引管の抜き差し部２３となり、残りの部分が布団等の出し入れ口１３ａとなっている。
【００２６】
上記溶着部１５は、袋体１２の密閉チャック１４が重なる部分に施したチャック溶着部分１５ａと、この溶着部分１５ａから連なって密閉チャック１４の重なり部分から袋体１２の内側に向けて長く延びる延長部分１５ｂからなり、チャック溶着部分１５ａと延長部１５ｂによって抜き差し部２３が実質的に長さのある筒状になり、袋体１２の二枚の気密性シート１１、１１は、図１（ａ）に一点鎖線のハッチングで示したように、この抜き差し部２３に位置する部位が逆止弁機能部２４になる。
【００２７】
上記チャック溶着部分１５ａは、袋体１２を形成する二枚の気密性シート１１、１１と、密閉チャック１４の両帯状シート１７、１７の合計四枚のシートを同時に溶着し、延長部１５ｂは、密閉チャック１４の重なり部分から袋体１２を形成する二枚の気密性シート１１、１１を直接溶着している。
【００２８】
上記溶着部１５におけるチャック溶着部分１５ａは、図１（ｂ）、（ｃ）と図２のように、密閉チャック１４の突条１８と凹溝２０を咬合させた状態で、密閉チャック１４の咬合させた突条１８と凹溝２０部分をそのまま残し、この突条１８と凹溝２０部分を挟むようにして両帯状シート１７、１７の上下幅の略全体に、点在的に施した構造になっており、延長部１５ｂは、最も内側に位置するチャック溶着部分１５ａから連続した状態で袋体１２の内方に延びている。
【００２９】
図１のように、上記袋体１２を形成する一方の気密性シート１１において、逆止弁機能部２４を生じさせるようにした部位の外面に、この気密性シート１１の逆止弁機能部２４に該当する部位の平滑状態を保持して皺の発生を防ぐための保形シート２５が溶着や接着によって貼着されている。
【００３０】
この保形シート２５は、材質は問わないが、気密性シート１１と同様の合成樹脂シート、アルミ箔、腰のある紙等を用い、上記抜き差し部２３の開口長さに対応する長さと、密閉チャック１４の内側縁の部分から延長部１５ｂの先端よりも袋体１２の内側寄りの位置を十分に覆う幅を有している。
【００３１】
ちなみに、上記吸引管の抜き差し部２３の開口長さは、１１０ｍｍ程度の長さに形成され、また、溶着部１５の延長部１５ｂは、密閉チャック１４における帯状シート１７の内側縁から袋体１２の内側へ向けて２０〜３０ｍｍ程度の長さに形成され、更に、保形シート２５は、長さ１６０ｍｍ、幅５０ｍｍ程度の大きさになっている。
【００３２】
なお、上記保形シート２５は、図示省略したが、両気密性シート１１、１１の逆止弁機能部２４を生じさせるようにした部位の外面に貼着するようにしてもよく、このようにすれば、両気密性シート１１、１１の逆止弁機能部２４に該当する部位の平滑状態を保持して皺の発生を防ぐことにより、両気密性シート１１、１１の逆止弁機能部２４の密着性を一段と向上させることができる。
【００３３】
この考案の圧縮保存袋Ａは、上記のような構成であり、袋体１２に対して、密閉チャック１４を開いた出し入れ口１３ａから内部に布団等を挿入した後、この出し入れ口１３ａに位置する密閉チャック１４の突条１８と凹溝２０を咬合させて閉じるようにする。
【００３４】
なお、布団等の挿入時は、袋体１２における逆止弁機能部２４の部分の両気密性シート１１、１１は、図１（ｂ）に示すように、上記延長部１５ｂの端部から袋体１２の内側が遊離している。
【００３５】
次に、密閉チャック１４が開いている抜き差し部２３から袋体１２の内部に掃除機の吸引管を挿入し、吸引管を挿入した抜き差し部２３から逆止弁機能部２４を手で保持して吸引管の外周面に密着状とした状態で、掃除機を起動させることにより、袋体１２の内部空気を吸引して排気することにより、収納した布団等を圧縮する。
【００３６】
上記のように、出し入れ口１３ａの密閉チャック１４は、閉じた部分の端部が溶着部１５によって保持されたような状態になっているので、わざわざ袋体１２の出し入れ口１３ａの途中を手で保持して密閉チャック１４の閉じた部分が開かないようにする必要がなくなり、両手を袋体１２と吸引管の密着保持と掃除機の操作に使えることになり、袋体１２の吸引作業が能率的に行えることになる。
【００３７】
布団等を圧縮した後、抜き差し部２３から掃除機の吸引管を抜くと、図１（ｃ）に実線で示すように、袋体１２の内部負圧の作用で袋体１２の気密性シート１１、１１における逆止弁機能部２４が密着し、抜き差し部２３から袋体１２の内部に対する外気の吸い込みが阻止され、袋体１２の内部が密閉され、更に、この状態で抜き差し部２３の密閉チャック１４を閉じれば、口部１３の全長が閉じられたことになり、布団等の圧縮状態を確実に保持することができる。
【００３８】
上記のように、袋体１２の口部１３の長さ方向の途中に設けた溶着部１５に、密閉チャック１４よりも内側の位置で袋体１２を形成する二枚の気密性シート１１、１１を直接溶着した長い延長部１５ｂを設けることにより、抜き差し部２３と逆止弁機能部２４の一部が実質的に筒状の構造となり、抜き差し部２３から吸引管を引き抜くときに、袋体１２内と外気が短絡的に連通するのを抜き差し部２３の筒形構造によって阻止することができ、これにより、二枚の気密性シート１１、１１の前記抜き差し部２３の内側に位置する部分に形成された逆止弁機能部２４が内圧の作用で確実に吸着して、外気が袋体１２内に侵入しないようにする逆止弁機能を生じることになる。
【００３９】
また、一方の気密性シート１１の外面で逆止弁機能部２４の位置に、この気密性シート１１の平滑状態を保持するための保形シート２５を貼着してあるので、抜き差し部２３から吸引管を挿入して吸引作業を行うとき、抜き差し部２３内側寄りに位置させた逆止弁機能部２４における一方の気密性シート１１は平滑な展張状態が保持され、吸引管の差込によって他方の気密性シート１１の逆止弁機能部２４に皺が発生していても、吸引管の抜き取りによる袋体１２内の負圧によって両気密性シート１１、１１が密着しようとするとき、他方の気密性シート１１は一方の気密性シート１１の平滑面に沿うよう、皺が伸びた状態で両気密性シート１１、１１が密着し、これによって逆止弁機能部２４は逆止弁機能が確実に働き、袋体１２内に外気が侵入するのを効果的に防止して布団等を効率よく圧縮することができる。
【００４０】
また、両気密性シート１１、１１の外面で逆止弁機能部２４の位置に、この両気密性シート１１、１１の平滑状態を保持するための保形シート２５を貼着すれば、両気密性シート１１、１１の逆止弁機能部２４に皺が発生するのを防ぐことができ、平滑性の維持により逆止弁機能を向上させることができる。
【図面の簡単な説明】
【００４１】
【図１】（ａ）はこの考案にかかる布団等の圧縮保存袋の要部構造を示す正面図、（ｂ）は（ａ）の矢印ｂ−ｂに添う拡大した吸引後の縦断側面図、（ｃ）は同吸引前の縦断側面図
【図２】この考案にかかる布団等の圧縮保存袋の要部構造を示す斜視図
【図３】（ａ）は従来の布団等の圧縮保存袋の要部構造を示す正面図、（ｂ）は（ａ）の矢印ｂ−ｂに添う拡大した縦断側面図
【符号の説明】
【００４２】
１        気密性シート
２        口部
２ａ      出し入れ口
３        袋体
４        密閉チャック
５        溶着部
６        抜き差し部
７        逆止弁機能部
１１      気密性シート
１２      袋体
１３      口部
１３ａ    出し入れ口
１４      密閉チャック
１５      溶着部
１５ａ    チャック溶着部分
１５ｂ    延長部
１６      溶着線
１７      帯状シート
１８      突条
１９      雄部材
２０      凹溝
２１      雌部材
２２      溶着部分
２３      抜き差し部
２４      逆止弁機能部
２５      保形シート
【図１】
0003117522.tif 000003
【図２】
0003117522.tif 000004
【図３】
0003117522.tif 000005